(57)【要約】      （修正有）【課題】従来フロントパネルやある特定のコマンド送信によって行わなくてはならない処理を効率的に行えるようにする。【解決手段】ジョブログ機能Ｆ２により、宛先情報を含むジョブログ情報として、実行したジョブ情報をある一定の容量分保存し、インターフェース２７０，２９０を介して接続された外部デバイス（ホストコンピュータや外部メモリ４０）に、上記ジョブログ機能Ｆ２によって保存されたジョブログ情報から目的のジョブログ情報のみをコピー機能Ｆ３によりコピーし、上記インターフェース２７０，２９０を介して接続された外部デバイスにコピーされているジョブログ情報を選択機能Ｆ４により参照し、目的の宛先情報を選択し、上記選択機能Ｆ４により選択された宛先情報に基づいて送信機能Ｆ５により送信系ジョブを実行する。【選択図】図３
2008103842.tif 000002
【特許請求の範囲】
【請求項１】
情報の保存機能を有する外部デバイスと接続するためのインターフェースを備える画像形成装置であって、
宛先情報を含むジョブログ情報として実行したジョブ情報をある一定の容量分保存するジョブログ機能と、
上記インターフェースを介して接続された外部デバイスに、上記ジョブログ機能によって保存されたジョブログ情報から目的のジョブログ情報のみをコピーするコピー機能と、
上記インターフェースを介して接続された外部デバイスにコピーされているジョブログ情報を参照し、目的の宛先情報を選択する選択機能と、
上記選択機能により選択された宛先情報に基づいて送信系ジョブを実行する送信機能と
を有することを特徴とする画像形成装置。
【請求項２】
上記ジョブログ機能は、各情報テーブルを同一のバイトサイズで管理することによって、アドレスオフセットにより情報管理を行うことを特徴とする請求項１記載の画像形成装置。
【請求項３】
上記外部デバイスは、外部メモリ又はネットワーク上のホストコンピュータであることを特徴とする請求項１又は請求項２の何れか１項に記載の画像形成装置。
【請求項４】
上記選択機能は、上記インターフェースを介して接続された外部デバイスにコピーされている同一機種のジョブログ情報を参照し、目的の宛先情報を選択することを特徴とする請求項１乃至請求項３の何れか１項に記載の画像形成装置。
【発明の詳細な説明】
【技術分野】
【０００１】
本発明は、プリンタや複写機、ファクシミリ装置あるいは複合機等の画像形成装置に関し、ログ情報を保存する機能を有する画像形成装置に関する。
【背景技術】
【０００２】
従来、入力画像が過去に印画されている場合には、その印画履歴に関するログ情報を表示することができ、特にユーザの手間をかけずに入力画像に基づいてその入力画像に対応して保存されているログ情報を読み出すことができるようにしたプリンタが提案されている（特許文献１）。
【０００３】
例えば、画像が印画されると、その画像の画像ファイルのタグ情報に関連付けて印画時のログ情報をプリンタ内のストレージに蓄積しておき、プリンタに画像ファイルを取り込むと、その画像ファイルのタグ情報を読み出し、このタグ情報をキーにしてストレージに記憶されたログ情報のうちで、同じタグ情報を有するものがあるかどうかを検索して、同じタグ情報を有するログ情報が記憶されている場合には、そのタグ情報に関連付けられて記憶されているログ情報を表示することにより、ユーザは、プリンタに入力された画像ファイルの画像が過去に印画されている場合には、その印画履歴を知ることができる。
【０００４】
すなわち、プリンタ内において、過去に印字した画像データをそのログ情報と対応付けて管理することによって、保存された画像データが過去に印字されたものであるならば、管理しているログ情報から過去に印字した際の画像補正条件などを参照し、その印字を実行するようにしている。
【０００５】
また、ネットワークプリンタにおけるログ情報を指定したコンピュータ側に保存し、かつ、そのログ情報をシステムがダウンした場合にプリンタ側からアクセス処理できるようにしたネットワークプリンタが提案されている（特許文献２）。
【０００６】
プリンタ内において、通常ログ情報はメモリ上に管理されるが、そのサイズは限られているので、メモリサイズが限界に達すると、最も古い情報に最新の情報が上書きされるため、全ログ情報を残すことができない。そこで、ある一定のタイミングをもってプリンタ側で指定（設定）したコンピュータにログ情報を送信し、保存する。また、指定したプリンタ、もしくは他のプリンタからもそれらログ情報の読み込み、削除、印刷が行える機能を持たせるようにしている。
【０００７】
すなわち、プリンタのネットワークボードからブラウズ要求パケットを一斉同報し、コンピュータ側はこの要求を受信しログ情報の保存ＯＫの場合、それをプリンタ側に送信する。プリンタ側は応答受信コマンドを出し、一定時間に送信パケットを全て受信し、受信の有無を判断し、受信有はＰＣリストに追加整理しリスト作成して表示し、ユーザがログ情報を保存するコンピュータを選択可能にする。選択ＰＣ情報はプリンタ内メモリに保持され、ログ情報を送出する度に参照され、ネットワーク内のコンピュータの構成が変化した場合も再度ＰＣ情報を新規登録し、ＰＣ情報リストの変更を行う。
【０００８】
上記ネットワークプリンタでは、プリンタや複合機などのシステムがダウンした場合に、コンピュータ側に保存しておいたログ情報を元に、使用可能なマシンからそれらログ情報を読み取り、実行に失敗したジョブ情報に関する処理を行うことによって、ダウンしたプリンタの早期復旧を可能にするようにしている。
【０００９】
【特許文献１】特開２００５−０７４８５０号公報
【特許文献２】特開平１０−３２０１４８号公報
【発明の開示】
【発明が解決しようとする課題】
【００１０】
従来のプリンタや複合機において、スキャンした画像をホストコンピュータに送信するといったSend機能はフロントパネルから行う。その場合、送信先アドレスを入力する必要があり、フロントパネル上のテンキー、もしくは擬似的なキーボードをフロントパネル上に表示することによって手入力を効率化している。また、アドレス帳に登録することで送信宛先を選択することも可能である。
【００１１】
しかし、選択可能な宛先＝アドレス帳などに登録した宛先となっているので、結果的にアドレス帳機能への登録や、ホストコンピュータからコマンド送信を行う際に手入力が必要であった。
【００１２】
そこで、本発明の目的は、上述の如き従来の問題点に鑑み、従来フロントパネルやある特定のコマンド送信によって行わなくてはならない処理を保存したログ情報によって効率化することにある。
【００１３】
本発明の更に他の目的、本発明によって得られる具体的な利点は、以下に説明される実施の形態の説明から一層明らかにされる。
【課題を解決するための手段】
【００１４】
本発明は、情報の保存機能を有する外部デバイスと接続するためのインターフェースを備える画像形成装置であって、宛先情報を含むジョブログ情報として実行したジョブ情報をある一定の容量分保存するジョブログ機能と、上記インターフェースを介して接続された外部デバイスに、上記ジョブログ機能によって保存されたジョブログ情報から目的のジョブログ情報のみをコピーするコピー機能と、上記インターフェースを介して接続された外部デバイスにコピーされているジョブログ情報を参照し、目的の宛先情報を選択する選択機能と、上記選択機能により選択された宛先情報に基づいて送信系ジョブを実行する送信機能とを有することを特徴とする。
【００１５】
本発明に係る画像形成装置において、上記ジョブログ機能は、例えば、各情報テーブルを同一のバイトサイズで管理することによって、アドレスオフセットにより情報管理を行う。
【００１６】
また、本発明に係る画像形成装置において、上記外部デバイスは、例えば、外部メモリ又はネットワーク上のホストコンピュータである。
【００１７】
さらに、本発明に係る画像形成装置において、上記選択機能は、例えば、上記インターフェースを介して接続された外部デバイスにコピーされている同一機種のジョブログ情報を参照し、目的の宛先情報を選択する。
【００１８】
すなわち、本発明では、管理・再利用する情報として、送信系（Send E-Mailなど）ジョブのログ情報を用いる。宛先入力などの際に、既にアドレス帳に登録されているアドレスを参照するのではなく、外部デバイスもしくはネットワーク上に存在する同機種のジョブログ情報（宛先情報）を参照し、選択を可能とする。
【００１９】
一般に、システム内部に保存されたログ情報は、ある特定の情報テーブルがログ数分存在するような構成となっている場合が多いので、本発明では、それら情報テーブルを同一のバイトサイズで管理することによって、アドレスオフセットによる情報管理を可能とする。また、その情報テーブルを同一のバイトサイズにするということは、そのテーブルを構成する各種情報も同一のバイトサイズとなっているので、アドレスオフセットで管理可能となり、また、これら複数の情報テーブルは連続したアドレス領域に存在するように構成され、情報テーブルの終了情報も持つ。
【発明の効果】
【００２０】
本発明によれば、従来フロントパネルやある特定のコマンド送信によって行わなくてはならない処理を保存したログ情報によって効率化することができる。
【発明を実施するための最良の形態】
【００２１】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２２】
本発明は、例えば図１に示すようにホストコンピュータ１０と画像処理装置２０がＬＡＮなどのネットワーク３０を介して相互に通信可能に接続されてなる印刷システム１００に適用される。
【００２３】
この印刷システム１００において、ホストコンピュータ１０は、例えば、所謂パーソナルコンピュータからなり、図２に示すように、装置全体の制御および各種演算処理を行うＣＰＵ１１、プログラムやデータを格納するためのＲＯＭ１２、作業領域として一時的にプログラムやデータを記憶するためのＲＡＭ１３、各種のプログラムやデータを保存するための外部記憶装置としてのハードディスク１４、各種情報の表示のための液晶ディスプレイなどの表示部１５、各種指示の入力のためのキーボードやマウスなどからなる入力部１６、上記ネットワーク３０に接続するためのＬＡＮカードなどのネットワークインターフェース１７などがバス１８を介して相互に接続されてなる。
【００２４】
上記画像形成装置２０は、コピー、プリント、スキャン、ファクシミリ送信及びファクシミリ受信機能を有する所謂複合機であって、図３に示すように、装置全体の動作制御を司るＣＰＵを中心とする制御部２００を備え、この制御部２００に画像形成部２１０、原稿読取部２２０、給紙部２３０、操作表示部２４０、画像記憶部２５０、画像処理部２６０、ネットワークインターフェース２７０、通信モデム２８０、外部メモリインターフェース２９０等が接続されている。
【００２５】
制御部２００は、図４に示すように、画像形成装置２０の制御プログラムを記憶するＲＯＭ(Read Only Memory)２０１、一時的にデータを保管するＲＡＭ(Random Access Memory)２０２、更新可能な各種設定データなどを保管するＥＥＰＲＯＭ（Electrically Erasable Programmable ROM）２０３及び制御プログラム等を上記ＲＯＭ２０１から読み出して実行するマイクロコンピュータ２０４、等からなり、操作表示部２４０等において入力された所定の指示情報や、本装置の各所に設けられた各種センサからの検出信号に応じて装置全体の制御を行う。
【００２６】
画像形成部２１０は、給紙部２３０によって搬送されてきた用紙に対して所定の画像形成（印刷）を行うものであって、図示しないプリンタコントローラ、レーザ走査ユニットや定着ローラ等からなる。
【００２７】
原稿読取部２２０は、原稿の読み取りを行って当該原稿に対応する画像データを生成するものであって、光学的に取得した原稿の画像から画像データを生成するＣＣＤ(Charge Coupled Device)センサ及び露光ランプ等を備えたスキャナやコンタクトガラス等からなり、コンタクトガラス上に載置された原稿を走査しつつ取得した画像データを制御部２００へ出力する。
【００２８】
給紙部２３０は、画像形成部２１０に対して用紙の給紙を行うものである。
【００２９】
操作表示部２４０は、ユーザの操作に応じて所定の指示入力を行うものであって、図示しない、ユーザが印刷実行指示を入力するためのスタートキーと、印刷部数等を入力するためのテンキーと、各種複写動作の設定等を入力するための操作ガイド情報等を表示する種々の操作ボタン等が表示される液晶表示器（ＬＣＤ）を備えている。
【００３０】
画像記憶部２５０は、原稿読取部２２０によって読み取られた原稿の画像データやネットワークインターフェース２７０や通信モデム２８０等を介して外部装置から送信されてきた画像データを一時的に記憶するメモリである。
【００３１】
画像処理部２６０は、印刷データに対する各種画像処理を行うものであって、例えば、印刷データをＲＧＢデータあるいはＣＭＹＫデータに変換する処理や複数の原稿画像を１つの用紙に集約させる画像処理、すなわち、原稿画像の画像サイズを拡大又は縮小する拡大縮小処理や、複数の原稿画像を１つの用紙に配置するレイアウト処理などを行う。
【００３２】
外部メモリインターフェース２９０には、この装置のジョブログ情報などがコピーされる外部メモリ４０が着脱自在に接続される。
【００３３】
この画像形成装置２０において、上記制御部２１０は、送信（Ｆａｘ，Ｓｅｎｄ，ＦＴＰ）ジョブを実行する際に用いる送信宛先情報をＥＥＰＲＯＭ２０３に登録し、登録された送信宛先を選択するアドレス帳機能Ｆ１、指定されたジョブを実行する毎に、実行したジョブ情報をＥＥＰＲＯＭ２０３に一定の容量分保存するジョブログ機能Ｆ２、上記ジョブログ機能Ｆ２によってＥＥＰＲＯＭ２０３に保存されたジョブ情報から、目的のジョブログ情報のみを外部メモリ４０やネットワーク３０上のホストコンピュータ１０にコピーするコピー機能Ｆ３、上記コピー機能Ｆ３により外部デバイスすなわち上記外部メモリ４０もしくはネットワーク３０上の上記ホストコンピュータ１０にコピーされているジョブログ情報を参照し、目的の情報を選択する選択機能Ｆ４、上記選択機能Ｆ４により選択されたジョブログ情報に基づいて送信ジョブを実行する送信機能Ｆ５等を備える。
【００３４】
すなわち、上記制御部２１０は、操作表示部２４０の操作入力によりアドレス帳機能Ｆ１が読み出されると、アドレス帳モードに遷移して、操作表示部２４０にアドレス帳画面を表示する。
【００３５】
上記アドレス帳機能Ｆ１では、アドレス帳画面上で、操作表示部２４０を操作して宛先情報を直接入力して登録する他に、上記操作表示部２４０を操作して、ジョブログ機能Ｆ２により保存されたジョブログ情報から宛先情報を選択して登録したり、また、上記選択機能Ｆ４により、外部デバイスすなわち上記外部メモリ４０もしくはネットワーク３０上の上記ホストコンピュータ１０にコピーされているジョブログ情報から選択して登録することができる。
【００３６】
また、上記制御部２１０は、操作表示部２４０の操作入力によりコピー機能Ｆ３が読み出されると、外部デバイス書き込みモードに遷移して、図５のフローチャートに示す手順に従ってコピー処理を行う。
【００３７】
すなわち、外部デバイス書き込みモードでは、操作表示部２４０に外部デバイス書き込み画面を表示し（ステップＳ１）、外部デバイス書き込み画面上で、保存する外部デバイスの選択を受け付け（ステップＳ２）、外部デバイスへ保存するログデータの種類の選択を受け付け（ステップＳ３）、保存実行の指示入力を受け付けると（ステップＳ４）、保存する外部デバイスの種類、ログデータの種類等を指定して、保存処理要求を出して（ステップＳ５）、特定のファイル名でファイルをオープンし（ステップＳ６）、操作表示部２４０に「保存実行中」の表示を行う（ステップＳ７）。
【００３８】
そして、上記制御部２１０は、ジョブログ情報をアクセスし、指定されたデータを種類のみ、全ログ情報から取得して（ステップＳ８）、ファイルに書き込み（ステップＳ９）、書き込みが終了すると（ステップＳ１０）、操作表示部２４０の「保存実行中」の表示を解除し（ステップＳ１１）、コピー処理を終了する。
【００３９】
すなわち、上記ジョブログ機能Ｆ２では、実行したジョブの種類別、例えば、送信（Ｆａｘ，Ｓｅｎｄ，ＦＴＰ）、プリンタ、ＢＯＸなどの各情報テーブルとして、ジョブログ情報をＥＥＰＲＯＭ２０３に保存し、各情報テーブルを同一のバイトサイズで管理する。
【００４０】
ここで、各情報テーブルを同一のバイトサイズにするということは、そのテーブルを構成する各種情報も同一のバイトサイズとなっている。これにより、アドレスオフセットで管理可能となり、また、これら複数の情報テーブルは、図６に示すように、連続したアドレス領域に存在するように構成され、情報テーブルの終了情報も持つ。ログ情報テーブルは、あるテーブルサイズで定義されており、その内部で送信先アドレス情報を文字列データとして定められた配列データとして保持している。
【００４１】
したがって、上記コピー機能Ｆ３では、情報テーブルのサイズ分のアドレスオフセットを加算することによってある特定の情報を検索することなく取得することが可能である。すなわち、先頭の情報テーブル内に存在する目的の情報を指し示すアドレスから情報テーブルサイズ分のオフセットを足しこみ、終了情報に到達するまで移動することで目的の情報を取得することができる。そして、取得した情報は連続データとして、図７に示すように、外部メモリ４０やネットワーク３０上のホストコンピュータ１０に特定のファイル名（Infilefo）のデータファイルとして保存する。
【００４２】
また、上記制御部２１０は、操作表示部２４０の操作入力により送信機能Ｆ５が読み出されると、送信モードに遷移して、図８のフローチャートに示す手順に従って送信処理を行う。
【００４３】
すなわち、送信モードでは、操作表示部２４０に送信画面を表示し（ステップＳ２１）、送信画面上で宛先情報入力画面の選択入力を受け付けると（ステップＳ２２）、宛先情報入力画面を表示し（ステップＳ２３）、宛先情報入力画面上で宛先情報入力形式の選択を受け付け（ステップＳ２４）、宛先情報入力形式として直接入力が選択された場合には操作表示部２４０の操作による宛先情報の直接入力を受け付け（ステップＳ２５）、宛先情報入力形式としてアドレス帳入力が選択された場合には、上記アドレス帳機能Ｆ１により予め登録された宛先情報を操作表示部２４０に表示して、アドレス帳による宛先情報の選択入力を受け付け（ステップＳ２６）、また、宛先情報入力形式としてログ情報参照入力が選択された場合には、上記選択機能Ｆ４を読み出して、上記ジョブログ機能Ｆ２により保存されたジョブログ情報に含まれている宛先情報、あるいは、上記コピー機能Ｆ３により外部デバイスすなわち上記外部メモリ４０もしくはネットワーク３０上の上記ホストコンピュータ１０にコピーされているジョブログ情報に含まれている宛先情報を操作表示部２４０に表示して、ジョブログ情報による宛先情報の選択入力を受け付ける（ステップＳ２７）。
【００４４】
そして、受け付けた宛先情報に基づいて、送信宛先に情報を送信して（ステップＳ２８）、送信処理を終了する。
【００４５】
ここで、上記ステップＳ２７では、図９のフローチャートに示すように、上記ネットワークインターフェース２７０を介して接続されているホストコンピュータ１０や上記外部メモリインターフェース２９０を介して接続されている外部メモリ４０に保存されているファイルへのアクセスが可能であるか否かを判断し（ステップＳ２７１）、アクセス可能なファイルから特定のファイル名のファイルを検索し（ステップＳ２７２）、宛先選択に参照可能なジョブログ情報がある場合に（ステップＳ２７３）、上記検索でヒットしたファイルからデータを取得して、宛先情報を操作表示部２４０に表示して（ステップＳ２７４）、ジョブログ情報による宛先情報の選択入力を受け付ける（ステップＳ２７５）。
【００４６】
なお、システム起動時から外部デバイスが接続されている場合には、起動時にジョブログ情報の読み込み処理を行う。ただし、起動後に別のデバイスに変更された場合には、ログ情報参照が選択されたとき、若しくは、再起動時にジョブログ情報の読み込み処理を行う。また、システム起動後に外部デバイスが接続された場合には、ログ情報参照が選択された時点でジョブログ情報の読み込み処理を行う。さらに、ジョブログ情報の読み込み処理中であることを操作表示部２４０に表示する。
【００４７】
すなわち、上記選択機能Ｆ４では、上記ジョブログ機能Ｆ２により保存されたジョブログ情報に含まれている宛先情報、あるいは、上記コピー機能Ｆ３により外部デバイスすなわち上記外部メモリ４０もしくはネットワーク３０上の上記ホストコンピュータ１０にコピーされているジョブログ情報に含まれている宛先情報を操作表示部２４０に表示して、ユーザによる選択操作を受け付けることにより、宛先情報を選択する。
【００４８】
この画像形成装置２０における選択機能Ｆ４では、上記コピー機能Ｆ３により外部デバイスすなわち上記外部メモリ４０もしくはネットワーク３０上の上記ホストコンピュータ１０にコピーされているジョブログ情報のデータファイルを読み込み、そのファイルサイズに達するまである特定のデータサイズ分のデータ（例えば宛先情報Ａｄｒｓ）を読み込み続ける。例えば、宛先情報Ａｄｒｓ１〜Ａｄｒｓ５がそれぞれ３２バイトであれば、ファイルサイズは３２×５＝１６０バイトとなる。そして、読み込んだジョブログ情報（宛先情報Ａｄｒｓ１〜Ａｄｒｓ５）を操作表示部２４０に表示して、ユーザによる選択操作を受け付けことにより、宛先情報を選択する。
【００４９】
なお、上記データファイルを別システムが読み込む場合、情報が連続してデータファイルに書き込まれているため、書き込まれている情報のサイズを読み込み側が認識しておく必要があるが、ジョブ情報の保存可能情報数に違いはあったとしても、ジョブ情報を構成する各種情報のサイズを統一しておけば、情報サイズの違いによって読み込めるシステムと読み込めないシステムが分かれることはない。
【００５０】
ここで読み込むファイル名ごとに、そのデータファイル内に書き込まれているデータ種類を判別する構成とする。よって、たとえば
Loginfo_send_address.data
Loginfo_box_name.data
などでデータをファイル名で判別し、それぞれ使用すべきメニュー項目内でファイルデータを読み込み、ユーザに表示するものとする。
【００５１】
ここで、本来、送信系ジョブを実行する場合、その宛先情報を入力するか、アドレス帳などに登録されているアドレス情報を選択する必要があるが、この画像形成装置２０では、図１０に示すように、選択可能なアドレス情報にそれまで実行された送信系ジョブ情報（ジョブログ情報）から参照することができる。
【００５２】
また、送信系ジョブにおいてもE-MailやFTPなどの各種機能が存在するが、宛先情報を参照する際には、現在操作表示部２４０でどのような種類の送信系ジョブが選択されているかによって表示するジョブログ内のアドレス情報を自動的に選択することにより、現在操作表示部２４０上でFTP送信画面にてジョブログ情報参照が選択された場合は内部のジョブログもしくは外部デバイスすなわち外部メモリ４０もしくはホストコンピュータ１０内のジョブログ情報からFTP送信のジョブログ情報から宛先情報を読み込み、表示する。
【００５３】
また、送信系ジョブ情報（ジョブログ情報）には、それぞれの送信宛先情報も保存されているので、この画像形成装置２０では、上記アドレス帳機能Ｆ１により、アドレス帳画面上で、操作表示部２４０を操作して宛先情報を直接入力して登録する他に、上記操作表示部２４０を操作して、ジョブログ機能Ｆ２により保存されたジョブログ情報から宛先情報を選択して登録したり、また、上記選択機能Ｆ４により、外部デバイスすなわち上記外部メモリ４０もしくはネットワーク３０上の上記ホストコンピュータ１０にコピーされているジョブログ情報から選択して登録することができる。
【００５４】
さらに、この画像形成装置２０では、上記選択機能Ｆ４により、外部デバイスすなわち上記外部メモリ４０もしくはネットワーク３０上の上記ホストコンピュータ１０にコピーされているジョブログ情報から宛先情報を選択して参照することができるので、例えば図１１に示すように、ネットワーク３０にホストコンピュータ１０と複数台の画像形成装置２０Ａ，２０Ｂ・・・が接続されている場合に、外部デバイスすなわち外部メモリ４０もしくはホストコンピュータ１０にコピーされているネットワーク３０上に存在する同機種のジョブログ情報を参照し、目的の情報を選択して、アドレス帳に登録したり、送信処理を実行することもできる。
【００５５】
すなわち、この画像形成装置２０では、実行したジョブ情報をある一定の容量分保存するジョブログ機能によって保存されたジョブ情報から、目的の情報（送信系ジョブの宛先情報など）のみを外部デバイスや外部メモリ４０もしくはネットワーク３０上に存在するホストコンピュータ１０にコピーすることにより共有とし、ネットワーク３０上の同機種の他の画像形成装置に反映することができる。
【００５６】
なお、この場合、ログ情報の取得の際には、ユーザ権限の認証を行い、認証されたユーザのみがログ情報からコピーする情報を選択し、外部デバイスにコピーするようにする。
【図面の簡単な説明】
【００５７】
【図１】本発明を適用した印刷システムの構成を示すブロック図である。
【図２】上記印刷システムにおけるホストコンピュータの構成を示すブロック図である。
【図３】上記印刷システムにおける画像形成装置の構成を示すブロック図である。
【図４】上記画像形成装置における制御部の概略構成を示すブロック図である。
【図５】上記制御部により実行されるコピー処理の手順を示すフローチャートである。
【図６】上記制御部に備えられたジョブログ機能により作成される情報テーブルの構成例を模式的に示す図である。
【図７】上記制御部に備えられたコピー機能によるデータファイルの保存の様子を模式的に示す図である。
【図８】上記制御部により実行される送信処理の手順を示すフローチャートである。
【図９】上記制御部に備えられた選択機能により実行される宛先選択の処理の手順を示すフローチャートである。
【図１０】上記画像形成装置による送信系ジョブ情報（ジョブログ情報）から宛先情報を参照する様子を模式的に示す図である。
【図１１】ネットワークにホストコンピュータと複数台の画像形成装置が接続されている場合に、同機種のジョブログ情報を共有する様子を模式的に示す図である。
【符号の説明】
【００５８】
１０  ホストコンピュータ、
１１  ＣＰＵ、
１２  ＲＯＭ、
１３  ＲＡＭ、
１４  ハードディスク、
１５  表示部、
１６  入力部、
１７  ネットワークインターフェース、
２０  画像形成装置、
３０  ネットワーク、
４０  外部メモリ、
１００  印刷システム、
２００  制御部、
２０１  ＲＯＭ、
２０２  ＲＡＭ、
２０３  ＥＥＰＲＯＭ、
２０４  ＣＰＵ、
２１０  画像形成部、
２２０  原稿読取部
２３０  給紙部
２４０  操作表示部、
２５０  画像機億部
２６０  画像処理部、
２７０  ネットワークインターフェース、
２８０  通信モデム、
２９０  外部メモリインターフェース
Ｆ１  アドレス帳機能、
Ｆ２  ジョブログ機能、
Ｆ３  コピー機能、
Ｆ４  選択機能、
Ｆ５  送信機能、
【図１】
2008103842.tif 000003
【図２】
2008103842.tif 000004
【図３】
2008103842.tif 000005
【図４】
2008103842.tif 000006
【図５】
2008103842.tif 000007
【図６】
2008103842.tif 000008
【図７】
2008103842.tif 000009
【図８】
2008103842.tif 000010
【図９】
2008103842.tif 000011
【図１０】
2008103842.tif 000012
【図１１】
2008103842.tif 000013